【手続補正書】
【提出日】平成23年1月24日(2011.1.24)
【手続補正１】
【補正対象書類名】特許請求の範囲
【補正対象項目名】全文
【補正方法】変更
【補正の内容】
【特許請求の範囲】
【請求項１】
被写体を撮影して撮影画像を得る撮像手段と、
特定画像を記憶する記憶手段と、
前記撮像手段により得られた撮影画像と前記記憶手段に記憶された特定画像とを照合する照合手段と、
前記照合手段による照合の結果、前記撮影画像に前記特定画像が含まれていると判断した場合には前記撮影画像を第１のフォーマットで記録媒体に記録し、前記撮影画像に前記特定画像が含まれていないと判断した場合には前記撮影画像を第２のフォーマットで前記記録媒体に記録する記録制御手段と、を有することを特徴とする撮像装置。
【請求項２】
前記撮像手段により得られた撮影画像に第１の処理を施して前記第１のフォーマットの画像を生成する第１の生成手段と、
前記第１の生成手段により生成された前記第１のフォーマットの画像に第２の処理を施して前記第２のフォーマットの画像を生成する第２の生成手段と、をさらに有することを特徴とする請求項１に記載の撮像装置。
【請求項３】
前記第１の処理はＡ／Ｄ変換であり、前記第２の処理は非可逆の圧縮処理であることを特徴とする請求項２に記載の撮像装置。
【請求項４】
前記第１のフォーマットの撮影画像はＲＡＷデータであり、前記第２のフォーマットの撮影画像はＪＰＥＧ又はＴＩＦＦデータであることを特徴とする請求項１乃至３のいずれか１項に記載の撮像装置。
【請求項５】
前記第２のフォーマットはパーソナルコンピュータに対応した汎用のフォーマットであり、前記第１のフォーマットは前記汎用のフォーマットではない前記撮像装置に対応したフォーマットであることを特徴とする請求項１に記載の撮像装置。
【請求項６】
前記第１のフォーマットは、前記パーソナルコンピュータで動作する画像表示ソフトウェアであって、前記撮像装置の撮影画像を処理できるソフトウェアにおいて利用できるフォーマットであることを特徴とする請求項５に記載の撮像装置。
【請求項７】
前記照合手段による照合の結果、前記撮影画像に前記特定画像が含まれていると判断した場合にはその旨を前記撮像装置の操作者に通知する通知手段をさらに有することを特徴とする請求項１乃至６のいずれか１項に記載の撮像装置。
【請求項８】
前記照合手段による照合の結果、前記撮影画像に前記特定画像が含まれていると判断した場合に、前記記録制御手段は、前記撮影画像を前記第１のフォーマットでかつ暗号化して記録媒体に記録することを特徴とする請求項１乃至７のいずれか１項に記載の撮像装置。
【請求項９】
前記特定画像は顔画像であることを特徴とする請求項１乃至８のいずれか１項に記載の撮像装置。
【請求項１０】
前記特定画像は有価証券の画像であることを特徴とする請求項１乃至８のいずれか１項に記載の撮像装置。
【請求項１１】
被写体を撮影して撮影画像を得る撮像手段と、
特定画像を記憶する記憶手段と、
前記撮像手段により得られた撮影画像と前記記憶手段に記憶された特定画像とを照合する照合手段と、
前記照合手段による照合の結果、前記撮影画像に前記特定画像が含まれていないと判断した場合には前記撮影画像を第１の解像度で記録媒体に記録し、前記撮影画像に前記特定画像が含まれていると判断した場合には前記撮影画像を前記第１の解像度よりも低い第２の解像度で前記記録媒体に記録する記録制御手段と、を有することを特徴とする撮像装置。
【請求項１２】
被写体を撮影して撮影画像を得る撮像手段と、
特定画像を記憶する記憶手段と、
前記撮像手段により得られた撮影画像と前記記憶手段に記憶された特定画像とを照合する照合手段と、
前記照合手段による照合の結果、前記撮影画像に前記特定画像が含まれていると判断した場合には前記撮影画像を暗号化して記録媒体に記録し、前記撮影画像に前記特定画像が含まれていないと判断した場合には前記撮影画像を暗号化せずに前記記録媒体に記録する記録制御手段と、を有することを特徴とする撮像装置。
【請求項１３】
撮像装置により得られた撮影画像を処理する画像処理装置であって、
前記撮像装置において撮影された第１のフォーマットの撮影画像を記録媒体から読み込む読み込み手段と、
前記読み込み手段により読み込まれた前記第１のフォーマットの撮影画像を特定画像と照合する照合手段と、
前記照合手段による照合の結果、前記撮影画像に前記特定画像が含まれてないと判断した場合には前記撮影画像を前記第１のフォーマットから第２のフォーマットへ変換し、前記撮影画像に前記特定画像が含まれていると判断した場合には前記撮影画像を前記第１のフォーマットから前記第２のフォーマットへと変換しない制御手段と、を有することを特徴とする画像処理装置。
【請求項１４】
被写体を撮影して撮影画像を得る撮像手段と、特定画像を記憶する記憶手段と、を有する撮像装置の制御方法であって、
前記撮像手段により得られた撮影画像と前記記憶手段に記憶された特定画像とを照合する照合ステップと、
前記照合ステップによる照合の結果、前記撮影画像に前記特定画像が含まれていると判断した場合には前記撮影画像を第１のフォーマットで記録媒体に記録し、前記撮影画像に前記特定画像が含まれていないと判断した場合には前記撮影画像を第２のフォーマットで前記記録媒体に記録する記録制御ステップと、を有することを特徴とする撮像装置の制御方法。
【請求項１５】
被写体を撮影して撮影画像を得る撮像手段と、特定画像を記憶する記憶手段と、を有する撮像装置の制御方法であって、
前記撮像手段により得られた撮影画像と前記記憶手段に記憶された特定画像とを照合する照合ステップと、
前記照合ステップによる照合の結果、前記撮影画像に前記特定画像が含まれていないと判断した場合には前記撮影画像を第１の解像度で記録媒体に記録し、前記撮影画像に前記特定画像が含まれていると判断した場合には前記撮影画像を前記第１の解像度よりも低い第２の解像度で前記記録媒体に記録する記録制御ステップと、を有することを特徴とする撮像装置の制御方法。
【請求項１６】
被写体を撮影して撮影画像を得る撮像手段と、特定画像を記憶する記憶手段と、を有する撮像装置の制御方法であって、
前記撮像手段により得られた撮影画像と前記記憶手段に記憶された特定画像とを照合する照合ステップと、
前記照合ステップによる照合の結果、前記撮影画像に前記特定画像が含まれていると判断した場合には前記撮影画像を暗号化して記録媒体に記録し、前記撮影画像に前記特定画像が含まれていないと判断した場合には前記撮影画像を暗号化せずに前記記録媒体に記録する記録制御ステップと、を有することを特徴とする撮像装置の制御方法。
【請求項１７】
撮像装置により得られた撮影画像を処理する画像処理方法であって、
前記撮像装置において撮影された第１のフォーマットの撮影画像を記録媒体から読み込む読み込みステップと、
前記読み込みステップにより読み込まれた前記第１のフォーマットの撮影画像を特定画像と照合する照合ステップと、
前記照合ステップによる照合の結果、前記撮影画像に前記特定画像が含まれてないと判断した場合には前記撮影画像を前記第１のフォーマットから第２のフォーマットへと変換し、前記撮影画像に前記特定画像が含まれていると判断した場合には前記撮影画像を前記第１のフォーマットから前記第２のフォーマットへと変換しない制御ステップと、を有することを特徴とする画像処理方法。
【請求項１８】
請求項１４乃至１６のいずれか１項に記載の撮像装置の制御方法又は請求項１７に記載の画像処理方法をコンピュータに実行させるためのプログラム。
【請求項１９】
請求項１８に記載のプログラムを格納するコンピュータで読み取り可能な記憶媒体。
【手続補正２】
【補正対象書類名】明細書
【補正対象項目名】００３６
【補正方法】変更
【補正の内容】
【００３６】
上記目的を達成するために、本発明の撮像装置は、被写体を撮影して撮影画像を得る撮像手段と、特定画像を記憶する記憶手段と、前記撮像手段により得られた撮影画像と前記記憶手段に記憶された特定画像とを照合する照合手段と、前記照合手段による照合の結果、前記撮影画像に前記特定画像が含まれていると判断した場合には前記撮影画像を第１のフォーマットで記録媒体に記録し、前記撮影画像に前記特定画像が含まれていないと判断した場合には前記撮影画像を第２のフォーマットで前記記録媒体に記録する記録制御手段と、を有することを特徴とする。